(57)【要約】【課題】デジタルテレビ放送を視聴する場合、視聴者は数多いチャンネルの中から視聴したい番組を選択するためにＥＰＧ（電子番組ガイド）をテレビ画面に表示させ、リモコンボタンを駆使しながら番組表の中から探さなければならないという煩わしさがあった。【解決手段】リモコンＡ０１と、テレビＢ０１とを有する。テレビＢ０１は制御コマンド受信部Ｂ０２、番組情報送信部Ｂ０３、番組情報記憶部Ｂ０４、嗜好番組情報記憶部Ｂ０５、使用者情報記憶部Ｂ０６および制御部Ｂ０７を備える。リモコンＡ０１は、嗜好番組情報を表示しテレビジョン放送番組を選局する表示選択部を有する。これにより、テレビＢ０１が受信するＥＰＧデータの中から視聴者が好む番組情報を抽出し、リモコンＡ０１に表示する。【選択図】  図１
2007134947.tif 000002
【特許請求の範囲】
【請求項１】
リモコン送信機と、このリモコン送信機の操作によりテレビ放送番組を受信するテレビ放送受信装置とを有し、前記テレビ放送受信装置が、前記リモコン送信機から制御コマンドを受信して、前記リモコン送信機へテレビジョン放送の番組情報を送信するようにした番組情報表示選択装置であって、
前記テレビ放送受信装置は、
前記リモコン送信機からの前記制御コマンドを受信する制御コマンド受信部と、
番組情報を前記リモコン送信機へ送信する番組情報送信部と、
前記制御コマンドおよび番組情報を記憶する番組情報記憶部と、
嗜好番組情報を記憶する嗜好番組情報記憶部と、
使用者の視聴情報を記憶する使用者情報記憶部と、
前記制御コマンド受信部、前記番組情報送信部、前記番組情報記憶部、前記嗜好番組情報記憶部および前記使用者情報記憶部を制御する制御部とを備え、
前記制御部は、前記使用者情報記憶部の使用者の嗜好に合わせて前記番組情報記憶部の番組情報から嗜好番組情報を作成し、前記嗜好番組情報を前記嗜好番組情報記憶部に記憶し、前記嗜好番組情報を前記番組情報送信部より前記リモコン送信機へ送信し、
前記リモコン送信機は、前記嗜好番組情報を表示するとともに、前記嗜好番組情報から前記使用者がテレビ放送番組を選局し前記テレビ放送受信装置に受信させる表示選択部を有することを特徴とする番組情報表示選択装置。
【請求項２】
テレビ放送受信装置は、一定時間ごとに、またはリモコン送信機からの制御コマンドを受信したときに、リモコン送信機へ嗜好番組情報を送信し、表示選択部に表示される前記嗜好番組情報を更新する請求項１記載の番組情報表示選択装置。
【請求項３】
制御部は、使用者によって選択された使用者情報として前記ジャンルを前記使用者情報記憶部に記憶し、前記ジャンルを基に前記嗜好番組情報を作成して前記嗜好番組情報記憶部に記憶し、
前記制御部は、前記使用者が前記リモコン送信機を操作して送信される制御コマンドを前記制御コマンド受信部に受信したときに前記嗜好番組情報を前記リモコン送信機に送信し、前記嗜好番組情報を前記表示選択部に表示させる請求項２記載の番組情報表示選択装置。
【請求項４】
制御部は、テレビ放送受信装置における使用者の過去の視聴履歴を前記使用者情報記憶部に記憶し、その視聴履歴から決定されたジャンルを基に前記嗜好番組情報を作成し、前記嗜好番組情報を前記リモコン送信機に送信し、前記嗜好番組情報を前記表示選択部に表示させる請求項２記載の番組情報表示選択装置。
【請求項５】
リモコン送信機は放送時間帯情報を送信可能であり、
制御部は、使用者が前記リモコン送信機を操作して送信される前記放送時間帯情報を受信したときに、前記放送時間帯情報に基づく嗜好番組情報を前記リモコン送信機に送信し、前記嗜好番組情報を前記表示選択部に表示させる請求項３または請求項４記載の番組情報表示選択装置。
【請求項６】
使用者情報記憶部は使用者識別情報を記憶し、
制御部は、使用者がリモコン送信機を操作して送信される前記使用者識別情報を受信したときに使用者別の嗜好番組情報を作成して前記リモコン送信機に送信し、前記嗜好番組情報を表示選択部に表示させる請求項３または請求項４記載の番組情報表示選択装置。
【発明の詳細な説明】
【技術分野】
【０００１】
本発明は、例えばデジタルテレビジョン放送受信機能を持つテレビジョン受像機と、テレビジョン受像機を操作するためのリモコン送信機を有し、特にリモコン送信機に対して番組情報を送信可能なテレビジョン受像機に関するものである。
【背景技術】
【０００２】
近年、ケーブル、衛星などによるデジタルテレビジョン放送が普及し、視聴者は今まで以上に多くのチャンネルの中から番組を選択して視聴することができるようになった。今後も地上波テレビジョン放送のデジタル化によって普及は進行し、さらにチャンネル数は増えることが予想される。それに対して放送局やテレビジョン受像機などのメーカは、視聴者が見たい番組を探し出せるようにＥＰＧ（電子番組ガイド）を提供している。ＥＰＧとはデジタルテレビジョン放送信号中の番組に関するデータによって作成され、テレビジョン画面に表示される番組表である。しかしこのＥＰＧでは単に放送予定の番組を新聞の番組欄のように表しているだけで、リモコン送信機の使用者は多くのチャンネルおよび番組群の中から自分の見たい番組を探すためにリモコンボタンなどでカーソルを移動させたり、番組表をスクロールさせたりしなければならないという煩わしさがあった。
【０００３】
そこで従来、この課題を解決すべく様々な技術が開発された。一例を挙げると（特許文献１参照）、テレビジョン受像機で受信したＥＰＧのデータをリモコン送信機へ送信し、リモコン送信機の表示手段に番組表をそのまま表示したり、視聴者がリモコン送信機からコマンドを入力し、好みの番組を検索して表示する、というものである。
【特許文献１】特開平４−１８１８４４号
【発明の開示】
【発明が解決しようとする課題】
【０００４】
しかし、特許文献１ではＥＰＧの大容量データをリモコン送信機へ送信するため、使用者にとって不要な番組のデータも全て送信されることになり、リモコン送信機は必要以上に大きな電力が消費される。また、特許文献１では使用者の視聴データを保存し、その視聴データをもとに全番組情報から使用者の好みの番組を抽出し、表示することも可能であるが、最新の好みの番組表を表示するために毎回更新の操作が必要である。さらに一般家庭などにおいて複数の使用者が使用する場合、使用者が変わるごとに視聴データを入力し直さなければならないという課題がある。
【０００５】
したがって、本発明の目的は、使用者の番組の選択を容易にし多くの番組の中から好みの番組を探す煩わしさを解消するとともに、消費電力を軽減することができる番組情報表示選択装置を提供することである。
【課題を解決するための手段】
【０００６】
本発明の番組情報表示選択装置は、リモコン送信機と、このリモコン送信機の操作によりテレビ放送番組を受信するテレビ放送受信装置とを有し、テレビ放送受信装置が、リモコン送信機から制御コマンドを受信して、リモコン送信機へテレビジョン放送の番組情報を送信するようにした番組情報表示選択装置であって、
テレビ放送受信装置は、
リモコン送信機からの制御コマンドを受信する制御コマンド受信部と、
番組情報をリモコン送信機へ送信する番組情報送信部と、
制御コマンドおよび番組情報を記憶する番組情報記憶部と、
嗜好番組情報を記憶する嗜好番組情報記憶部と、
使用者の視聴情報を記憶する使用者情報記憶部と、
制御コマンド受信部、番組情報送信部、番組情報記憶部、嗜好番組情報記憶部および使用者情報記憶部を制御する制御部とを備え、
制御部は、使用者情報記憶部の使用者の嗜好に合わせて番組情報記憶部の番組情報から嗜好番組情報を作成し、嗜好番組情報を嗜好番組情報記憶部に記憶し、嗜好番組情報を番組情報送信部よりリモコン送信機へ送信し、
リモコン送信機は、嗜好番組情報を表示するとともに、嗜好番組情報から使用者がテレビ放送番組を選局しテレビ放送受信装置に受信させる表示選択部を有することを特徴とする。
【０００７】
上記構成において、テレビ放送受信装置は、一定時間ごとに、またはリモコン送信機からの制御コマンドを受信したときに、リモコン送信機へ嗜好番組情報を送信し、表示選択部に表示される嗜好番組情報を更新する。
【０００８】
上記構成において、制御部は、使用者によって選択された使用者情報としてジャンルを使用者情報記憶部に記憶し、ジャンルを基に嗜好番組情報を作成して嗜好番組情報記憶部に記憶し、
制御部は、使用者がリモコン送信機を操作して送信される制御コマンドを制御コマンド受信部に受信したときに嗜好番組情報をリモコン送信機に送信し、嗜好番組情報を表示選択部に表示させる。
【０００９】
上記構成において、制御部は、テレビ放送受信装置における使用者の過去の視聴履歴を使用者情報記憶部に記憶し、その視聴履歴から決定されたジャンルを基に嗜好番組情報を作成し、嗜好番組情報をリモコン送信機に送信し、嗜好番組情報を表示選択部に表示させる。
【００１０】
上記構成において、リモコン送信機は放送時間帯情報を送信可能であり、
制御部は、使用者がリモコン送信機を操作して送信される放送時間帯情報を受信したときに、放送時間帯情報に基づく嗜好番組情報をリモコン送信機に送信し、嗜好番組情報を表示選択部に表示させる。
【００１１】
上記構成において、使用者情報記憶部は使用者識別情報を記憶し、
制御部は、使用者がリモコン送信機を操作して送信される使用者識別情報を受信したときに使用者別の嗜好番組情報を作成してリモコン送信機に送信し、嗜好番組情報を表示選択部に表示させる。
【発明の効果】
【００１２】
本発明によって、テレビジョン受像機等のテレビ放送受信装置からリモコン送信機に対して使用者の好みの番組データだけを送信して表示するので、使用者が多くの番組の中から好みの番組を探す煩わしさが解消され、しかも最低限の情報を送受信することにより、リモコン送信機およびテレビジョン受像機等の消費電力の負担も軽減され、リモコン送信機のメモリ容量も小さく抑えることができる。
【００１３】
また、複数の使用者がそれぞれ自分の好みに合った番組を表示することができる。
【発明を実施するための最良の形態】
【００１４】
以下、本発明の一実施の形態について図面を用いて詳細に説明する。
【００１５】
図１は本発明の一実施の形態を最小限の構成で示した図であり、この実施の形態ではリモコン送信機（以下、リモコンと呼ぶ）Ａ０１とテレビジョン受像機（以下、テレビと呼ぶ）Ｂ０１によって構成される。
【００１６】
リモコンＡ０１は、リモコンコードを赤外線などで送信し、テレビＢ０１を遠隔操作可能であり、特にテレビＢ０１からのデータも受信が可能な物である。
【００１７】
Ａ０２は操作部であり、チャンネルボタン、電源ボタンおよび音量ボタンなどによって構成される。使用者がボタンを押すと、そのボタンに対応した制御コマンドに変換される。
【００１８】
Ａ０３は表示選択部である。これは通常のチャンネルボタンなどとは別に設けられた番組情報を表示し、選局するためのボタンであり、機能表示が変更可能なＬＣＤタッチパネルなどによって構成され、これに使用者の好みの番組名、ジャンル、放送時刻などを番組ごとに表示し、見たい番組のボタンを押せば、その番組を選局する制御コマンドに変換される。
【００１９】
制御コマンド送信部Ａ０４は、制御コマンドの電気的信号を赤外線などに変換してテレビＢ０１へ送信する。
【００２０】
Ａ０５は番組情報受信部であり、テレビＢ０１から赤外線などによって送信された嗜好番組情報を受信し、電気的信号に変換してリモコン送信機制御部Ａ０６へ送出する。
【００２１】
Ａ０６はリモコン送信機制御部（以下、リモコン制御部と呼ぶ）であり、操作部Ａ０２、番組情報の表示選択部Ａ０３、制御コマンド送信部Ａ０４、番組情報受信部Ａ０５を制御し、各部からの情報を処理する。
【００２２】
ここで、図６はリモコンの操作部Ａ０２および表示選択部Ａ０３の具体例を表したものであるが、メニューボタンＣ０２は、各種メニューをテレビに表示させるためのボタンである。チャンネルボタンＣ０３は、チャンネル番号で番組を選択するためのボタンである。選択ボタンＣ０４は、選択した情報や入力した情報などをテレビに送信するためのエンターキーのようなボタンである。カーソルボタンＣ０５は、テレビ画面中のカーソルを移動させるためのボタンである。更新ボタンＣ０６は、表示選択部Ａ０３に表示される番組一覧を更新するためのボタンである。
【００２３】
テレビＢ０１は、デジタルテレビ放送を受信して番組を視聴できるデジタルテレビなどであり、特にリモコンに番組情報を送信可能な物がこれに該当する。
【００２４】
Ｂ０２は制御コマンド受信部であり、リモコンＡ０１から送信された赤外線などを制御コマンドの電気的信号に変換する。
【００２５】
Ｂ０３は番組情報送信部であり、嗜好番組情報の電気的信号を赤外線に変換し、リモコンに送信する。
【００２６】
Ｂ０４は番組情報記憶部であり、デジタルテレビ放送から抽出した番組情報を記憶する領域を含む記憶装置である。
【００２７】
Ｂ０５は使用者情報記憶部であり、使用者が入力した使用者識別情報やジャンル、過去に視聴したジャンルなどの使用者の視聴情報を記憶する領域を含む記憶装置である。ここで使用者識別情報とは、複数の使用者を識別するための識別子であり、それは、暗証番号、指紋、網膜など何であってもよいが、この実施の形態では、識別子をリモコンのチャンネルボタンで入力できる番号とした。
【００２８】
Ｂ０６は嗜好番組情報記憶部であり、使用者のジャンルを基に番組情報から作成された嗜好番組情報を記憶する領域を含む記憶装置である。なお、Ｂ０４、Ｂ０５、Ｂ０６は不揮発性メモリ等であり、この実施の形態では、３つの個別の記憶部としたが、これらの記憶領域を全て含む１つの記憶部であってもよい。
【００２９】
Ｂ０７はテレビジョン受像機制御部（以下テレビ制御部と呼ぶ）である。これはＣＰＵで構成され、時計機能を持つ物であって、特に制御コマンド受信部Ｂ０２、番組情報送信部Ｂ０３、番組情報記憶部Ｂ０４、使用者情報記憶部Ｂ０５、嗜好番組情報記憶部Ｂ０６を制御し、各部からの情報を処理する。また、デジタルテレビ放送データ中の番組情報から使用者の好みのジャンルによって嗜好番組情報を作成する処理を行なうものである。
【００３０】
次に嗜好番組情報の作成過程を説明する。
【００３１】
まずテレビＢ０１は、電源が投入され、デジタルテレビ放送を受信すると、放送データ内から番組情報を抽出し、番組情報記憶部Ｂ０４に記憶する。
この後、使用者がリモコンＡ０１の更新ボタンを押したとき、あるいは一定時間経過後に嗜好番組情報がリモコンＡ０１に送信されるが、このときの過程は図２のフローチャートで示される。リモコンＡ０１からテレビＢ０１へ嗜好番組情報の更新要求コマンドが送信され、テレビＢ０１がこのコマンドを受信すると、嗜好番組情報の作成が開始される。あるいは、一定時間が経過した後、テレビＢ０１が自動的に嗜好番組情報の作成を開始する。この一定時間とは、通常番組が放送される周期の１時間、あるいは３０分間などの時間が適当である。そして使用者情報記憶部Ｂ０５に記憶されている使用者のジャンルを検索し、このジャンルと一致する番組の情報を番組情報記憶部Ｂ０４の番組情報から抽出し、抽出された番組の放送開始時刻、チャンネル、ジャンル、番組タイトルなどの情報とリモコンＡ０１の表示選択部Ａ０３に表示するために必要なデータとともに嗜好番組情報を作成する。嗜好番組情報は嗜好番組情報記憶部Ｂ０６に記憶された後、リモコンＡ０１へ送信され、図６のように表示選択部Ａ０３に表示される。番組の表示の順番は、図６で表示されているように放送開始時刻の昇順が適当である。使用者は表示選択部Ａ０３で見たい番組のボタン、例えば図６において、表示選択部Ａ０３に表示されている番組一覧中の「ドラマ２０」が表示されているボタンを押下すると、その番組の選局コマンドがテレビＢ０１へ送信され、その番組に選局される。例えば、もし現在時刻が２０時１０分の時点で表示選択部Ａ０３中の「水曜劇場」が表示されているボタンを押下した場合、押下されて数秒間、そのボタンに「放送時刻前です」などのメッセージを表示してもよい。
【００３２】
次に使用者が変わった場合の嗜好番組情報の作成過程を説明する。
【００３３】
例えば、テレビの使用者が使用者ＩＤが「１」の者から使用者ＩＤ「２」の者に変わる場合、使用者がリモコンのメニューボタンＣ０２により、テレビＢ０１に使用者登録のメニューを表示させる。そのときの表示例が図７である。使用者はチャンネルボタンＣ０３によって使用者ＩＤ「２」を決定すると、制御コマンド送信部Ａ０４を通じて、テレビＢ０１に使用者ＩＤ「２」の情報が送信される。この後、リモコンＡ０１の更新ボタンＣ０６を押した時の過程は図３のフローチャートに示す。リモコンＡ０１からテレビＢ０１へ嗜好番組情報の更新要求コマンドが送信され、テレビＢ０１がこのコマンドを受信すると、使用者情報記憶部Ｂ０５から設定された使用者ＩＤ「２」のジャンルを検索する。このジャンルと一致する番組の情報を番組情報記憶部Ｂ０４の番組情報から抽出し、番組の放送開始時刻、チャンネル、ジャンル、番組タイトルなどの情報とリモコンＡ０１の表示選択部Ａ０３に表示するために必要なデータとともに嗜好番組情報を作成する。嗜好番組情報は嗜好番組情報記憶部Ｂ０６に記憶された後、リモコンＡ０１へ送信され、表示選択部Ａ０３に表示される。
【００３４】
次にジャンルが指定された時の嗜好番組情報の作成過程を説明する。
【００３５】
まず使用者はリモコンＡ０１のメニューボタンＣ０２により、テレビＢ０１にジャンル指定のメニューを表示させる。そのときの表示例が図８である。使用者はカーソルボタンＣ０５によってジャンル（例えば「ドラマ」）を決定すると、制御コマンド送信部Ａ０４を通じて、テレビＢ０１にジャンル「ドラマ」の情報が送信される。この後、リモコンＡ０１の更新ボタンＣ０６を押した時の過程は図４のフローチャートに示す。リモコンＡ０１からテレビＢ０１へ嗜好番組情報の更新要求コマンドが送信され、テレビＢ０１がこのコマンドを受信すると、ジャンル「ドラマ」と一致する番組の情報を番組情報記憶部Ｂ０４の番組情報から抽出し、番組の放送開始時刻、チャンネル、ジャンル、番組タイトルなどの情報とリモコンＡ０１の表示選択部Ａ０３に表示するために必要なデータとともに嗜好番組情報を作成する。嗜好番組情報は嗜好番組情報記憶部Ｂ０６に記憶された後、リモコンＡ０１へ送信され、表示選択部Ａ０３に表示される。なお、リモコンＡ０１のメニューボタンＣ０２によりジャンルが指定されなくても、使用者（例えば使用者ＩＤ「１」）によってテレビの視聴が繰り返されるごとに、選局された番組のジャンル情報が使用者情報記憶部Ｂ０５の使用者ＩＤ「１」の領域に自動的に蓄積され、その中で最も視聴された回数の多いジャンルがその使用者「１」の好みのジャンルとなる。このように、視聴履歴から決定されたジャンルを基に嗜好番組情報を作成し、嗜好番組情報記憶部Ｂ０６に記憶された後に、その嗜好番組情報をリモコンＡ０１に送信し、嗜好番組情報を表示選択部Ａ０３に表示させることも可能である。
【００３６】
次に放送開始時間帯が指定された時の嗜好番組情報の作成過程を説明する。
まず使用者はリモコンＡ０１のメニューボタンＣ０２により、テレビＢ０１にジャンル指定のメニューを表示させる。そのときの表示例が図９である。使用者はチャンネルボタンＣ０３によって放送開始時間帯（例えば「２０時」）を決定すると、制御コマンド送信部Ａ０４を通じて、テレビＢ０１に放送時間帯「２０時」の情報が送信される。この後、リモコンＡ０１の更新ボタンＣ０６を押した時の過程は図５のフローチャートに示す。リモコンＡ０１からテレビＢ０１へ嗜好番組情報の更新要求コマンドが送信され、テレビＢ０１がこのコマンドを受信すると、指定時間帯の番組群（２０時台の番組群）からジャンルと一致する番組の情報を番組情報記憶部Ｂ０４の番組情報から抽出し、番組の放送開始時刻、チャンネル、ジャンル、番組タイトルなどの情報とリモコンＡ０１の表示選択部Ａ０３に表示するために必要なデータとともに嗜好番組情報を作成する。嗜好番組情報は嗜好番組情報記憶部Ｂ０６に記憶された後、リモコンＡ０１へ送信され、表示選択部Ａ０３に表示される。なお、放送時間帯が指定されていなければ現在の時間帯の嗜好番組情報が作成されることになる。
【００３７】
本発明は、デジタルテレビ以外においても、テレビ放送例えばデジタルテレビ放送を受信できるＤＶＤレコーダー、カーナビゲーションシステムなどのテレビ放送受信装置にも応用することができる。
【産業上の利用可能性】
【００３８】
本発明にかかる番組情報表示選択装置は、使用者が多くの番組の中から好みの番組を探す煩わしさが解消され、リモコン送信機およびテレビジョン受像機等の消費電力の負担も軽減され、リモコン送信機のメモリ容量も小さく抑えることができる等の効果があり、番組情報表示選択装置等として有用である。
【図面の簡単な説明】
【００３９】
【図１】本発明の一実施の形態の構成を示すブロック図である。
【図２】本発明の一実施の形態の第１の処理手順を示すフローチャートである。
【図３】本発明の一実施の形態の第２の処理手順を示すフローチャートである。
【図４】本発明の一実施の形態の第３の処理手順を示すフローチャートである。
【図５】本発明の一実施の形態の第４の処理手順を示すフローチャートである。
【図６】リモコンにおける嗜好番組情報の表示例の説明図である。
【図７】使用者ＩＤ登録メニューの表示例の説明図である。
【図８】ジャンル指定メニューの表示例の説明図である。
【図９】放送時間帯指定メニューの表示例の説明図である。
【符号の説明】
【００４０】
Ａ０１  リモコン
Ａ０３  表示選択部
Ｂ０１  テレビ  
Ｂ０４  番組情報記憶部
Ｂ０５  使用者情報記憶部
Ｂ０６  嗜好番組情報記憶部
【図１】
2007134947.tif 000003
【図２】
2007134947.tif 000004
【図３】
2007134947.tif 000005
【図４】
2007134947.tif 000006
【図５】
2007134947.tif 000007
【図６】
2007134947.tif 000008
【図７】
2007134947.tif 000009
【図８】
2007134947.tif 000010
【図９】
2007134947.tif 000011